(57)【要約】【課題】  通し柱に断面欠落を発生させることなく通し柱と梁とを簡単に連結する。【解決手段】通し柱の外形形状に相当する内面形状に形成された設定長さの鋼製角筒２と、角筒２の３辺の各外面に梁の幅に相当する内面間隔をおいてそれぞれ全周溶接された一対の鋼板製側板３とから連結金具１が構成され、連結金具１の角筒２の対向する一対の辺に複数個のボルト穴２ａが形成されるとともに、各一対の側板３に複数個のボルト穴３ａが形成されている。そして、通し柱に連結金具１の角筒２が挿通されてボルトおよびナットを介して固定される。【選択図】  図１
2006241938.tif 000002
【特許請求の範囲】
【請求項１】
通し柱の外形形状に相当する内面形状に形成された設定長さの鋼製角筒と、角筒の隣接する２辺の各外面または３辺の各外面もしくは全ての辺の各外面に梁の幅に相当する内面間隔をおいてそれぞれ全周溶接された一対の鋼板製側板とからなり、角筒の対向する一対の辺に複数個のボルト穴が形成されるとともに、各一対の側板に複数個のボルト穴が形成されることを特徴とする通し柱と梁との連結金具。
【請求項２】
前記角筒が通し柱に連結される管柱の下端部を挿通可能な長さを有することを特徴とする請求項１記載の通し柱と梁との連結金具。
【請求項３】
土台に立設されて１階から２階までを貫く長さの複数本の通し柱と、これらの通し柱にわたって架設される複数本の２階の梁と、通し柱の上端にわたって架設される複数本の小屋梁と、からなり、通し柱の略中間部に請求項１記載の連結金具の角筒が挿通されてボルトおよびナットを介して固定され、その各一対の側板に２階の各梁が挟み込まれてボルトおよびナットを介して固定されることを特徴とする木造建築物の軸組構造体。
【請求項４】
土台に立設されて１階から２階までを貫く長さの複数本の通し柱と、これらの通し柱にわたって架設される複数本の２階の梁および３階の梁と、通し柱の上端に立設される複数本の管柱と、管柱の上端にわたって架設される複数本の小屋梁と、からなり、通し柱の略中間部に請求項１記載の連結金具の角筒が挿通されてボルトおよびナットを介して固定され、その各一対の側板に２階の各梁が挟み込まれてボルトおよびナットを介して固定される一方、通し柱の上端部に請求項２記載の連結金具の角筒が挿通されてボルトおよびナットを介して固定されるとともに、該角筒に管柱が挿通されてボルトおよびナットを介して固定され、その各一対の側板に３階の各梁が挟み込まれてボルトおよびナットを介して固定されることを特徴とする木造建築物の軸組構造体。
【発明の詳細な説明】
【技術分野】
【０００１】
この発明は、通し柱と床梁や胴差しなどの梁とを一体に連結する連結金具および連結金具を用いて通し柱と梁とを連結して構築される２階建てあるいは３階建て木造建築部、例えば、木造住宅の軸組構造体に関するものである。
【背景技術】
【０００２】
一般に、木造住宅の軸組構造体は、基礎にアンカーボルトを介して固定された土台に通し柱を立設し、通し柱にわたって２階の胴差しや床梁を架設するとともに、通し柱の上端にわたって小屋梁を架設して構成されている。また、３階建ての場合には、同様に、基礎にアンカーボルトを介して固定された土台に通し柱を立設するとともに、通し柱の上端に管柱を連結し、通し柱にわたって２階の胴差しや床梁および３階の胴差しや床梁を架設するとともに、３階の管柱の上端にわたって小屋梁を架設して構成されている。
【０００３】
このような軸組構造体においては、図１２に示すように、通し柱Ｐに対して胴差しや床梁などの梁Ｇを連結する場合、梁Ｇの端面にほぞｔを形成するとともに、通し柱Ｐに梁Ｇのほぞｔに対応するほぞ穴ｍを形成し、通し柱Ｐのほぞ穴ｍに梁Ｇのほぞｔを差し込んで連結するようにしている。このため、通し柱Ｐは、出隅部においては、隣接する２面にほぞ穴ｍが形成され、出隅部間の中間部では３面にほぞ穴ｍが形成され、中央部分では４面にほぞ穴ｍが形成される。したがって、通し柱Ｐは、断面積が減少した状態で垂直荷重を支持することになる。
【０００４】
例えば、現在、１辺が１２ｃｍの角材を通し柱Ｐとして用いることが一般的であるが、この通し柱Ｐに図１３（ａ）に示すほぞ穴ｍを２面に形成した場合、断面積は１１１．００ｃｍ2 となり、ほぞ穴ｍを形成しない場合の断面積１４４．００ｃｍ2 に比較して、断面積は、１１１／１４４≒７７．１％に減少する。同様に、ほぞ穴ｍを３面に形成した場合（図１３（ｂ）参照）およびほぞ穴ｍを４面に形成した場合（図１３（ｃ）参照）は、それぞれ断面積は９４．５０ｃｍ2 、７８．００ｃｍ2 となり、それぞれ９４．５／１４４≒６５．６％、７８／１４４≒５４．２％に減少する。
【０００５】
したがって、木材、例えば、桧の場合、引張強度が６．７７ＭＰａ、圧縮強度が５．３０ＭＰａ、剪断強度が０．６９ＭＰａであることから、ほぞ穴ｍがない場合には、６．７７ＭＰａ×１４４ｃｍ2 ＝９７．４９×１０3 Ｎの引張荷重に耐えることができるのに対し、ほぞ穴ｍが２面に形成された場合には、６．７７ＭＰａ×１１１ｃｍ2 ＝７５．１５×１０3 Ｎ、ほぞ穴ｍが３面に形成された場合には、６．７７ＭＰａ×９４．５ｃｍ2 ＝６３．９８×１０3 Ｎ、ほぞ穴ｍが４面に形成された場合には、６．７７ＭＰａ×７８ｃｍ2 ＝５２．８１×１０3 Ｎにそれぞれ引張許容荷重が減少する。
【０００６】
同様に、桧の圧縮強度が５．３０ＭＰａ、剪断強度が０．６９ＭＰａであることから、ほぞ穴ｍがない場合には、７６．３２×１０3 Ｎの圧縮荷重、９．９４×１０3 Ｎの剪断荷重に耐えることができるのに対し、ほぞ穴ｍが２面に形成された場合には、５８．８３×１０3 Ｎの圧縮許容荷重および７．６６×１０3 Ｎの剪断許容荷重に減少し、ほぞ穴ｍが３面に形成された場合には、５０．０９×１０3 Ｎの圧縮許容荷重および６．５２×１０3 Ｎの剪断許容荷重に減少し、ほぞ穴ｍが４面に形成された場合には、４１．３４×１０3 Ｎの圧縮許容荷重および５．３８×１０3 Ｎの剪断許容荷重に減少する。
【０００７】
この結果、地震などにより梁Ｇを介して大きな水平力が通し柱Ｐに作用すると、通し柱Ｐがほぞ穴ｍ部分で破断し、家屋が倒壊することになる。
【０００８】
このような強度減少に対応して、通し柱Ｐに羽子板ボルトＲを貫通して固定するとともに、通し柱Ｐにほぞ接ぎされた梁Ｇに羽子板ボルトＲを配置し、梁Ｇと羽子板ボルトＲとをボルトおよびナットを介して連結したり（図１４参照）、特許文献１に示すように、柱に断面コ字状の補強金具を固定する一方、梁に補強金具を差し込み可能な溝を形成し、梁の溝を補強金具に差し込んでボルトおよびナットもしくはドリフトピンを介して固定することが提案されている。
【特許文献１】特開平１１−３１０９６１号公報
【発明の開示】
【発明が解決しようとする課題】
【０００９】
ところで、前述した羽子板ボルトを介して通し柱と梁とを連結する構造では、通し柱に対する梁の連結強度を向上させることができるものの、通し柱にほぞ穴を形成する点では同じであり、通し柱の断面積の減少による強度の減少を避けることはできない。このため、地震などによって大きな水平力が作用した場合に、通し柱の破断を防止することは困難である。
【００１０】
また、特許文献１に示す補強金具では、通し柱にほぞ穴などの断面欠落がないため、通し柱の強度を確保することができる。しかしながら、通し柱の直交する２方向に梁を架設するため、柱の各面に補強金具を固定する場合、一面の補強金具を固定するボルトと他面の補強金具を固定するボルトとが干渉しないように、直交する２方向にそれぞれ複数個のボルト穴を形成する必要がある他、梁の端面にも補強金具を挿通するための溝を形成したり、補強金具に懸架するための金具を取り付けなければならず、前作業に多くの時間が必要になるとともに、煩雑な作業を必要とするという欠点がある。しかも、このような補強金具を別注して製作しなければならず、コストがかさむものとなる。
【００１１】
本発明は、このような問題点に鑑みてなされたもので、安価に製作することができるとともに、通し柱に断面欠落を発生させることなく通し柱と梁とを簡単に連結することができる連結金具を提供するものである。また、本発明は、連結金具を用いて通し柱と梁とを簡単に連結することができるとともに、工期を短縮して構築することができる木造建築物の軸組構造体を提供するものである。
【課題を解決するための手段】
【００１２】
本発明の連結金具は、通し柱の外形形状に相当する内面形状に形成された設定長さの鋼製角筒と、角筒の隣接する２辺の各外面または３辺の各外面もしくは全ての辺の各外面に梁の幅に相当する内面間隔をおいてそれぞれ全周溶接された一対の鋼板製側板とからなり、角筒の対向する一対の辺に複数個のボルト穴が形成されるとともに、各一対の側板に複数個のボルト穴が形成されることを特徴とするものである。
【００１３】
本発明によれば、角筒として市販品の軽角形鋼を、側板として市販品の鋼板をそれぞれ使用することができ、安価に製作することができるとともに、木材に比較して強度を大幅に向上させることが可能となる。しかも、角筒に通し柱を挿通し、ボルトおよびナットを介して簡単に固定することができるとともに、胴差しなどの梁を一対の側板間に落とし込み、ボルトおよびナットを介して簡単に固定することができ、熟練を要することなく短時間に連結作業を行うことができる。
【００１４】
本発明において、前記角筒が通し柱に連結される管柱の下端部を挿通可能な長さを有すると、角筒に管柱の下端部を挿通してボルトおよびナットを介して簡単に連結することができるとともに、通し柱と管柱の連結部分の強度を大幅に向上させることができる。
【００１５】
本発明の木造建築物の軸組構造体は、土台に立設されて１階から２階までを貫く長さの複数本の通し柱と、これらの通し柱にわたって架設される複数本の２階の梁と、通し柱の上端にわたって架設される複数本の小屋梁と、からなり、通し柱の略中間部に請求項１記載の連結金具の角筒が挿通されてボルトおよびナットを介して固定され、その各一対の側板に２階の各梁が挟み込まれてボルトおよびナットを介して固定されることを特徴とするものである。
【００１６】
本発明によれば、予め連結金具を固定した通し柱を土台に立設した後、クレーンなどを利用して２階の胴差しなどの梁を吊り上げて、連結金具の一対の側板に挟み込まれるように落とし込んだ後、一対の側板と梁とをボルトおよびナットを介して固定する。次いで、通し柱の上端間にわたって小屋梁を架設することにより、２階建て木造建築物の軸組構造体を構築する。
【００１７】
この結果、角筒に側板が溶着されて一体化された連結金具を通し柱の略中間部に固定することにより、２階の梁との連結位置となる通し柱の略中間部の周囲が角筒によって包囲され、通し柱を補強してその破断を防止することができるとともに、通し柱に対する梁の連結強度を向上させることができる。また、建築現場において、ボルト穴が形成された通し柱およびボルト穴が形成された梁をそれぞれ配置し、ボルトを挿通してナットを締結するだけの簡単な作業で２階建て木造建築物の軸組構造体を構築することができるとともに、工期を短縮することができる。
【００１８】
本発明の木造建築物の軸組構造体は、土台に立設されて１階から２階までを貫く長さの複数本の通し柱と、これらの通し柱にわたって架設される複数本の２階の梁および３階の梁と、通し柱の上端に立設される複数本の管柱と、管柱の上端にわたって架設される複数本の小屋梁と、からなり、通し柱の略中間部に請求項１記載の連結金具の角筒が挿通されてボルトおよびナットを介して固定され、その各一対の側板に２階の各梁が挟み込まれてボルトおよびナットを介して固定される一方、通し柱の上端部に請求項２記載の連結金具の角筒が挿通されてボルトおよびナットを介して固定されるとともに、該角筒に管柱が挿通されてボルトおよびナットを介して固定され、その各一対の側板に３階の各梁が挟み込まれてボルトおよびナットを介して固定されることを特徴とするものである。
【００１９】
本発明によれば、予め連結金具を略中間部および上端部にそれぞれ固定した通し柱を土台に立設した後、クレーンなどを利用して２階の胴差しなどの梁を吊り上げて、通し柱の略中間部に固定した連結金具の一対の側板に挟み込まれるように落とし込んだ後、一対の側板と梁とをボルトおよびナットを介して固定する。次いで、３階の梁を吊り上げて、通し柱の上端に固定した連結金具の一対の側板に挟み込まれるように落とし込んだ後、一対の側板と梁とをボルトおよびナットを介して固定する。その後、通し柱の上端に固定した連結金具の角筒に管柱を挿通し、管柱と通し柱とをほぞ接ぎするとともに、管柱と連結金具の角筒とをボルトおよびナットを介して固定する。さらに、管柱の上端間にわたって小屋梁を架設することにより、３階建て木造建築物の軸組構造体を構築する。
【００２０】
この結果、角筒に側板が溶着されて一体化された連結金具を通し柱に固定することにより、２階の梁との連結位置となる通し柱の略中間部の周囲および３階の梁との連結位置となる通し柱の上端部が角筒によって包囲され、通し柱を補強してその破断を防止することができるとともに、通し柱に対する２階の梁の連結強度および３階の梁の連結強度を向上させることができる。また、建築現場において、ボルト穴が形成された通し柱およびボルト穴が形成された梁をそれぞれ配置し、ボルトを挿通してナットを締結するだけの簡単な作業で３階建て木造建築物の軸組構造体を構築することができるとともに、工期を短縮することができる。
【発明の効果】
【００２１】
本発明の通し柱と梁との連結金具によれば、安価に製作することができるとともに、通し柱に断面欠落を発生させることなく通し柱と梁とを簡単に連結することができる。
【００２２】
また、本発明の木造建築物の軸組構造体によれば、連結金具を用いて通し柱と梁とを簡単に連結することができるとともに、工期を短縮して構築することができる。
【発明を実施するための最良の形態】
【００２３】
以下、本発明の実施の形態を図面に基づいて説明する。
【００２４】
図１乃至図３には、本発明の連結金具１の一実施形態が示されている。
【００２５】
この連結金具１は、設定長さの鋼製角筒２と、角筒２の隣接する３辺の各外面に設定された内面間隔をおいてそれぞれ全周溶接された一対の鋼板製側板３，３と、から構成されている。
【００２６】
角筒２は、１辺が１２０ｍｍ角の通し柱Ｐの外面形状に対応する内面形状を有する設定長さの軽角形鋼から形成され、図３において、左右方向に対向する２辺には、上下方向に間隔をおいて同一軸線上に位置する複数個のボルト穴２ａ（図１参照）、具体的には、３個のボルト穴２ａがそれぞれ形成されている。
【００２７】
一対の側板３，３は、鋼板からなり、各上端縁が角筒２の上端縁と面一に連続するように、かつ、胴差しＧの幅に対応する内面間隔をおいて角筒２の３辺の各外面にそれぞれ溶接されている。そして、各一対の側板３には、上下方向および左右方向に設定間隔をおいて同一軸線上に位置する複数個のボルト穴３ａが形成されている。例えば、図３において、角筒２の右辺にそれぞれ一側端縁が溶着されて右方向に延びる各側板３は、幅１２０ｍｍ×高さ２４０ｍｍの胴差しＧに対応するように、１２０ｍｍの内面間隔をおいて配設されており、左右方向および上下方向にそれぞれ設定間隔をおいて２個ずつ計４個のボルト穴３ａが形成されている。また、図３において、角筒２の上辺および下辺にそれぞれ一側端縁が溶着されて上方向および下方向に延びるた各側板３は、幅１０５ｍｍ×高さ１８０ｍｍの胴差しＧに対応するように、１０５ｍｍの内面間隔をおいて配設されており、左右方向および上下方向にそれぞれ設定間隔をおいて２個ずつ計４個のボルト穴３ａが形成されている。
【００２８】
このように、連結金具１は、軽角形鋼からなる角筒２と、角筒２の３辺にそれぞれ溶着された一対の鋼板製側板３と、から構成されることにより、いずれも市販品を利用することができ、安価に製作することができる。しかも、鋼製であるため、強度を大幅に向上させることが可能となる。
【００２９】
ちなみに、１２０ｍｍ角の通し柱Ｐに対応する１２５ｍｍ×１２５ｍｍ×厚み３．２ｍｍの角筒２の場合、断面積が１５．３３ｃｍ2 となるとともに、引張強度および圧縮強度とも１５６．９１ＭＰａであり、剪断強度が９０．６１ＭＰａであることから、１５６．９１ＭＰａ×１５．３３ｃｍ2 ＝２４０．５４×１０3 Ｎの引張荷重および圧縮荷重に耐えることができるとともに、９０．６１ＭＰａ×１５．３３ｃｍ2 ／２＝６９．４５×１０3 Ｎの剪断荷重に耐えることができ、木材をほぞ接ぎする場合に比較して強度を大幅に向上させることができる。
【００３０】
なお、前述した実施形態においては、出隅部間の中間部に立設される通し柱Ｐの３辺に胴差しＧを連結する場合の連結金具１を例示したが、出隅部に立設される通し柱Ｐの隣接する２辺に２階の胴差しＧを連結する場合の連結金具１は、図４に示すように、角筒２の隣接する２辺にそれぞれ一対の側板３が溶接されたものである。
【００３１】
この連結金具１の角筒２も、通し柱Ｐの外面形状に対応する内面形状を有し、また、各一対の側板３の内面間隔も、胴差しＧの幅に対応して設定されている。
【００３２】
ところで、図５には、本発明の連結金具の他の実施形態が示されている。
【００３３】
この実施形態の連結金具４は、３階建ての木造住宅において、３階の床を形成する胴差しＧを通し柱Ｐの３辺に連結するとともに、通し柱Ｐに管柱Ｐ’を連結する場合に使用される。すなわち、３階建ての木造住宅においては、通常、１階から２階までを貫く長さの通し柱Ｐの上端に管柱Ｐ’の下端をほぞ接ぎして使用される。このため、連結金具４における角筒５の長さは、図１に示した連結金具１の角筒２の上端に、管柱Ｐ’の下端部を支持するに十分な長さを加えた長さに設定されている。そして、連結金具４の角筒５には、その下半部に挿通された通し柱Ｐの上端部および上半部に挿通された管柱Ｐ’の下端部をそれぞれ複数本のボルトナットによって固定できるように、複数個のボルト穴５ａ、具体的には、上半部および下半部にそれぞれ２個ずつの計４個のボルト穴５ａが設定間隔をおいて形成されている。
【００３４】
なお、胴差しＧを連結するための一対の側板３については、図１に示した側板３と相違しないため、同一の符号を付して詳細な説明を省略する。
【００３５】
この実施形態の連結金具４の変形例として、例えば、出隅部に立設される通し柱Ｐの隣接する２辺に３階の胴差しＧを連結する場合の連結金具１を図６に示す。この連部金具４においても、角筒４の長さは、図４に示した連結金具１の角筒２の上端に，管柱Ｐ’の下端部を支持するに足る長さを加えた長さに設定されている。
【００３６】
なお、前述した実施形態においては、角筒２，４の隣接する２辺または３辺にそれぞれ一対の側板３を溶着する場合を例示したが、詳細には図示しないが、角筒２，４の４辺全てに一対の側板３を溶着した連結金具１，４であってもよいことはもちろんである。
【００３７】
次に、このように構成された連結金具１を用いて３階建て木造住宅の軸組構造体を構築する場合について図７に基づいて説明する。
【００３８】
まず、建築現場において、基礎Ｆを形成した後、基礎Ｆに土台Ｓを載置してアンカーボルト（図示せず）を介して固定する。この際、基礎Ｆには、後述するように、通し柱Ｐを立設する位置に合わせて補強金具６を構成するアンカーボルト６２が埋設されており、その上端部が土台Ｓを貫通して上方に導出されている。
【００３９】
一方、工場などの建築現場以外の場所において、通し柱Ｐの下端部には、補強金具６を構成する引き寄せ金物６１に形成されたボルト穴６１ａに対応して複数個のボルト穴Ｐａが形成されるとともに、略中間部、具体的には、２階の胴差しＧの天端面に対応する位置に連結金具１の上端縁が位置するように、その角筒２に形成されたボルト穴２ａに対応して複数個のボルト穴Ｐａが形成される。また、必要ならば、通し柱Ｐの上端部にも、３階の胴差しＧの天端面に対応する位置に連結金具４の側板３の上端縁が位置するように、その角筒５に形成されたボルト穴５ａのうち、下半部に形成された複数個のボルト穴５ａに対応して複数個のボルト穴Ｐａが形成される。その際、通し柱Ｐの上端にはほぞ穴ｍが合わせて形成され、後述するように、管柱Ｐ’の下端に形成されるほぞｔとほぞ接ぎされるように設定されている（図１０参照）。同様に、通し柱Ｐの下端にはほぞ（図示せず）が形成され、通し柱Ｐの立設位置に合わせて土台Ｓに形成されたほぞ穴とほぞ接ぎされるように設定されている。
【００４０】
一方、管柱Ｐ’の下端には、通し柱Ｐのほぞ穴ｍに対応してほぞｔが形成される他、その下端部には、連結金具４の角筒５に形成されたボルト穴５ａのうち、上半部に形成された複数個のボルト穴５ａに対応して複数個のボルト穴Ｐ’ａが形成される。すなわち、通し柱Ｐの上端部に連結金具４がボルト７およびナット８を介して固定された状態で、該連結金具４の角筒５に管柱Ｐ’を挿通してそのほぞｔを通し柱Ｐのほぞ穴ｍに差し込んでほぞ接ぎした際、連結金具４における角筒５のボルト穴５ａが、管柱Ｐ’のボルト穴Ｐ’ａとが合致するように、ボルト穴Ｐ’ａが形成される。
【００４１】
さらに、胴差しＧの両端部には、連結金具１，４の一対の側板３に形成されたボルト穴３ａに対応して複数個のボルト穴がＧａが形成される。
【００４２】
この後、通し柱Ｐの略中間部まで連結金具１を強制的に打ち込んで挿通した後、連結金具１における角筒２の一辺に形成された各ボルト穴２ａ、通し柱Ｐの略中間部に形成された各ボルト穴Ｐａおよび該角筒２の対向する他辺に形成された各ボルト穴２ａにわたってボルト７をそれぞれ挿通した後、各ボルト７にそれぞれナット８を締結し、通し柱Ｐに連結金具１を固定する。この際、通し柱Ｐの立設位置に合わせて必要な連結金具１を選択するとともに、その取付位置および側板３の向きを合わせる。
【００４３】
同様に、管柱Ｐ’が接合される通し柱Ｐの上端部に連結金具４を強制的に打ち込んで挿通した後、連結金具４における角筒５の下半部に形成された各ボルト穴５ａおよび通し柱Ｐの上端部に形成された各ボルト穴Ｐａにわたってボルト７をそれぞれ挿通した後、各ボルト７にそれぞれナット８を締結し、通し柱Ｐに連結金具４を固定する。
【００４４】
このような準備作業が終了したならば、連結金具１および連結金具１，４が固定された通し柱Ｐ、胴差しＧを建築現場に輸送した後、各通し柱Ｐを対応する位置の土台Ｓのほぞ穴に下端のほぞを差し込んで立設する。次いで、図１１に示すように、補強金具６を構成する引き寄せ金物６１を予め土台Ｓから導出されたアンカーボルト６２に挿通して土台Ｓ上に配置するとともに、引き寄せ金物６１を通し柱Ｐの下端部の一面に添わせる。次いで、アンカーボルト６２にナット８を締結して引き寄せ金物６１を土台Ｓに固定した後、引き寄せ金物６１の各ボルト穴６１ａおよび通し柱Ｐの下端部に形成された各ボルト穴Ｐａにボルト７をそれぞれ挿通し、各ボルト７にナット８をそれぞれ締結して固定する。
【００４５】
通し柱Ｐを立設すれば、クレーンなどを利用して２階の各胴差しＧを対応する通し柱Ｐ，Ｐ間に吊り上げた後、胴差しＧの両端部を通し柱Ｐの略中間部に固定された対向する連結金具１の一対の側板３，３間に落とし込む。そして、一方の側板３の各ボルト穴３ａ、胴差しＧの一端部に形成された各ボルト穴Ｇａ、他方の側板３の各ボルト穴３ａにわたってボルト７をそれぞれ挿通した後、各ボルト７にナット８をそれぞれ締結する。対向する他方の連結金具１の側板３，３についても、同様に、一方の側板３の各ボルト穴３ａ、胴差しＧの他端部の各ボルト穴Ｇａ、他方の側板３の各ボルト穴３ａにわたってボルト７をそれぞれ挿通した後、各ボルト７にナット８をそれぞれ締結する。
【００４６】
以下、同様に、２階の胴差しＧを順に吊り上げて、対応する一対の通し柱Ｐ，Ｐ間において、連結金具１，１にボルト７およびナット８を介して固定する。
【００４７】
通し柱Ｐに対して２階の胴差しＧの固定が終了すれば、同様に、クレーンなどを利用して３階の各胴差しＧを対応する通し柱Ｐ，Ｐ間に吊り上げた後、胴差しＧの両端部を通し柱Ｐの上端部に固定された対向する連結金具４の一対の側板３，３間に落とし込み、各一対の側板３，３と胴差しＧの各端部とをボルト７およびナット８を介して固定する。
【００４８】
通し柱Ｐに対して２階の胴差しＧおよび３階の胴差しＧを順に固定したならば、通し柱Ｐの上端部に固定された連結金具４の角筒５に対応する各管柱Ｐ’を挿通し、通し柱Ｐの上端に形成されたほぞ穴ｍに管柱Ｐ’のほぞｔを差し込んでほぞ接ぎする。次いで、連結金具４の角筒５の一辺側の各ボルト穴５ａ、管柱Ｐ’の各ボルト穴Ｐ’ａ、角筒５の他辺側の各ボルト穴５ａにわたってボルト７をそれぞれ挿通した後、各ボルト７にナット８をそれぞれ締結し、管柱Ｐ’を連結金具４に固定する。
【００４９】
管柱Ｐ’を固定したならば、対向する管柱Ｐ’，Ｐ’の上端部間にわたって対応する小屋梁Ｇ’を架け渡した後、小屋梁Ｇ’を利用して小屋組みを形成すればよい。
【００５０】
この結果、予めボルト穴Ｐａを形成するとともに、連結金具１，４を固定した通し柱Ｐおよびボルト穴Ｇａを形成した胴差しＧを建築現場に持ち込み、土台Ｓに通し柱Ｐを立設した後、胴差しＧを通し柱Ｐに固定した連結金具１，４にボルト７およびナット８を介して順に連結することによって木造住宅の軸組構造体を構築することができることから、作業が簡単になり、熟練を要することなく簡単に作業することができるとともに、短納期で施工することができる。しかも、通し柱Ｐに欠落部分がないため、通し柱Ｐの強度低下が発生することがない上に、連結金具１，４によって補強されるため、強度を大幅に向上させることができ、大きな地震などによっても通し柱Ｐの破断に伴う家屋の倒壊を確実に防止することができる。
【００５１】
この場合、大きな地震などによって縦揺れした場合、通し柱Ｐが土台Ｓから引き抜かれるおそれがあるが、基礎Ｆに固定された補強金具６と通し柱Ｐがボルト７およびナット８を介して固定されることにより、通し柱Ｐの引き抜きにも十分に抗することができる。
【００５２】
なお、前述した実施形態においては、３階建て木造住宅の軸組構造体を例示したが、２階建て木造住宅においても適用できることはいうまでもない。この場合は、略中間部のみに連結金具１を固定した通し柱Ｐを用いればよい他、その上端部に小屋梁を架設すればよい。
【産業上の利用可能性】
【００５３】
以上のように本発明によれば、地震などによって大きな水平力が通し柱に作用したとしても、その破断を防止することができることから、家屋などの建築物の耐震性を向上させることができる。
【図面の簡単な説明】
【００５４】
【図１】本発明の通し柱と胴差しを連結する連結金具の一実施形態を示す視斜図である。
【図２】図１の連結金具の側面図である。
【図３】図１の連結金具の平面図である。
【図４】図１の連結金具の変形例を示す斜視図である。
【図５】本発明の連結金具の他の実施形態を示す斜視図である。
【図６】図５の連結金具の変形例を示す斜視図である。
【図７】本発明の連結金具を用いた３階建て木造住宅の軸組構造体の一実施形態を示す正面図である。
【図８】図７のＡ部の拡大図である。
【図９】図８の平面図である。
【図１０】図７のＢ部の拡大図である。
【図１１】図７のＣ部の拡大斜視図である。
【図１２】従来の通し柱と胴差しとをほぞ接ぎする場合を説明する分解斜視図である。
【図１３】通し柱と胴差しとをほぞ接ぎした場合の通し柱の断面積減少を説明する横断面図である。
【図１４】従来の通し柱と胴差しとを羽子板ボルトを介して連結した状態を示す斜視図である。
【符号の説明】
【００５５】
１，４  連結金具
２，５  角筒
２ａ，５ａ  ボルト穴
３  側板
３ａ  ボルト穴
６  補強金具
６１  引き寄せ金物
６２  アンカーボルト
７  ボルト
８  ナット
Ｐ  通し柱
Ｐａ  ボルト穴
Ｐ’  管柱
Ｐ’ａ  ボルト穴
Ｇ  胴差し（梁）
Ｇａ  ボルト穴
Ｆ  基礎
Ｓ  土台
【図１】
2006241938.tif 000003
【図２】
2006241938.tif 000004
【図３】
2006241938.tif 000005
【図４】
2006241938.tif 000006
【図５】
2006241938.tif 000007
【図６】
2006241938.tif 000008
【図７】
2006241938.tif 000009
【図８】
2006241938.tif 000010
【図９】
2006241938.tif 000011
【図１０】
2006241938.tif 000012
【図１１】
2006241938.tif 000013
【図１２】
2006241938.tif 000014
【図１３】
2006241938.tif 000015
【図１４】
2006241938.tif 000016